(57)【要約】球状であり相互に回転可能に結合する、それぞれソケット（４）とボール（５）の形状である第１および第２の継ぎ手部材を有する、ボールソケット継ぎ手（３）を含み、ボール部材にはパノラマ軸（Ｘ）に直角である赤道経線面が画定された、ビデオまたは写真機器の支持体（１）である。支持体は、それぞれボール部材とソケット部材の上の第１および第２の案内手段（２３、２４）を備え、パノラマ軸と揺動軸の周囲での部材間の相対的な回転の能力を限定するべく、一方の他方に対する赤道円周方向のスライドと赤道面にありパノラマ軸に直角に交わる揺動軸（Ｙ）の周囲の相対的な回転との両方のために相互に選択的に係合可能である。【選択図】      図１
2008541189.tif 000002
【特許請求の範囲】
【請求項１】
どちらも球状であり相互に回転可能に結合する、それぞれソケット（４）とボール（５）の形状である第１および第２の継ぎ手部材を有する、ボールソケット継ぎ手（３）を含み、前記ボール部材（５）にはパノラマ軸（Ｘ）に直角である実質的な赤道経線面が画定された、ビデオまたは写真機器の支持体であって、それぞれ前記ボール部材と前記ソケット部材の上の第１および第２の案内手段（２３、２４）とを備え、前記パノラマ軸と揺動軸の周囲での前記部材間の相対的な回転の能力を限定するべく、一方の他方に対する赤道円周方向のスライドと前記赤道面にあり前記パノラマ軸（Ｘ）に直角に交わる揺動軸（Ｙ）の周囲での相対的な回転との両方によって相互に選択的に係合可能であることを特徴とする、支持体。
【請求項２】
前記第１の案内手段は、前記ボール部材（５）内の円周の溝（２３）および前記ソケット部材（４）上のプランジャ（２４）を備え、前記プランジャおよび前記溝は、前記プランジャが前記溝に任意の位置で係合される時に前記ボールが前記プランジャの軸（Ｙ）の周囲を回転可能であるように構成される、請求項１に記載のビデオまたは写真機器の支持体。
【請求項３】
前記プランジャ（２４）は弾性的に促されて前記溝と係合し、カム手段（２５）が前記プランジャと前記ソケットの間に備えられて前記プランジャを前記溝から離れた状態で選択的に保持する、請求項１または２に記載のビデオまたは写真機器の支持体。
【請求項４】
前記ソケット部材（４）に対して前記揺動軸（Ｙ）にほぼ直角な方向に延在するハンドグリップを備える、先行する請求項のいずれか１項以上に記載のビデオまたは写真機器の支持体。
【請求項５】
前記部材を摩擦によって相互に係止する前記継ぎ手部材間の摩擦手段（１５）を備える、先行する請求項のいずれか１項以上に記載のビデオまたは写真機器の支持体。
【請求項６】
前記ハンドグリップ（３２）を有し、前記継ぎ手が格納される本体（２）を備え、前記球状ソケット部材（４）は、前記本体に軸方向に保持されるがこれに対して回転可能であるほぼ円筒形状のカラー（８）を含む、請求項４に記載のビデオまたは写真機器の支持体。
【請求項７】
前記カラー（８）において、前記球状ボール部材（５）のステム（６）を受けることができる切り欠き（３１）が備えられ、前記ハンドグリップの前記切り欠きに対する所定の位置づけに対応する前記カラーと前記本体との間の所定の位置づけを達成するべく、手段（１３、１４）が前記カラー（８）と前記本体（２）に備えられた、請求項６に記載のビデオまたは写真機器の支持体。
【請求項８】
前記カラー（８）は、座面に浮き彫りされた円周ビード（１０）と前記カラーに備えられた環状トラック（１１）との相互係合によって前記本体（２）の前記座面内に保持された、請求項６または７に記載のビデオまたは写真機器の支持体。
【請求項９】
前記摩擦手段は前記ボール部材に弾性的に促されるランナー（１５）を備える、請求項５から８のいずれか１項以上に記載のビデオまたは写真機器の支持体。
【請求項１０】
前記ランナー（１５）はまた、結合し弾性作用を受ける傾斜面によって前記ランナーに結合されるくさび（１７）の推進構成部材によって前記ボール部材（５）に対して促される、請求項９に記載のビデオまたは写真機器の支持体。
【請求項１１】
前記くさび（１７）は、前記ランナー（１５）上を案内され、引金（２１）によって、バネ手段（１９）の弾性作用に対向して結合する前記傾斜面の解放方向に並行して起動されるスライダー（１８）に並行してしっかりと接続される、請求項１０に記載のビデオまたは写真機器の支持体。
【発明の詳細な説明】
【技術分野】
【０００１】
本発明は、主請求項に言及される特徴を有するビデオ／写真機器の支持体に関する。
【背景技術】
【０００２】
写真機器の支持体の分野において、任意の方向に相当の速度で機器を移動する動きを可能にする明らかな利点を有するボールソケット継ぎ手を用いることが知られている。このような支持体の典型的な例は、米国特許第４，９１５，３３３号から知られている。しかしこれらの支持体は、ビデオ機器に用いられるのには適さない。このような機器の具体的な支持体は実際のところ、「チルト」と呼ばれこれを用いて水平に対する機器の傾斜が調整される水平な一方と、「パノラマ」と呼ばれこれを用いて角度照準が水平にそって動く垂直な他方との、相互に直交する２つの軸の周囲での移動を保証する必要がある。パノラマ軸の確実な維持が保証されない場合、機器の動作中この軸は「失われ」、結果として機器および撮られた写真が「落ち」、質的に不快である。
【０００３】
パノラマ軸を維持する必要性に加え、ビデオ機器の経済的な支持体の製造における問題は、両方の軸の周囲での動きを均一に摩擦することの必要性にある。支持体が適度に経済的であるためには、これが限られた数の構成要素で構成される必要があり、このことは、パノラマ軸とチルト軸の別々の摩擦の正確な制御の可能性を限定する。一方、ボールソケット継ぎ手は、全ての移動動作についてほぼ一定の摩擦を保証するという優位性を有する。
【特許文献１】米国特許第４，９１５，３３３号
【発明の開示】
【発明が解決しようとする課題】
【０００４】
本発明は主要な技術的課題として、引用された従来技術を参照して言及された全ての不利点を改善することを可能とするように構造的そして機能的に設計される、ビデオおよび写真機器の両方に適した支持体を提供する課題を提案する。
【課題を解決するための手段】
【０００５】
この課題は、本発明によって、以下の請求項に従って製造される支持体を用いて解決される。
【発明を実施するための最良の形態】
【０００６】
本発明の特徴および利点は、添付の図面を参照して、限定的でない例を手段として説明される、好ましいが排他的ではない、例示的な実施形態の詳細な説明からより明らかになるであろう。
【０００７】
図面において、参照符号１は、本発明に従って製造されたビデオや写真機器の支持体全体を示す。
【０００８】
支持体１は、ボールのためのソケット形状の第１の継ぎ手部材４とボール形状の第２の継ぎ手部材５とを備えるボールソケット継ぎ手３が取り付けられた本体２を備える。ボール５は同様に、ステム６を用いてネジ式コネクタ７に接続されて、三脚などに結合される。
【０００９】
第１の継ぎ手部材４は、本体２の台座９に回転可能に取り付けられたほぼ円筒形状のカラー８を備え、これの外壁に備えられた環状トラック１１と本体２の対応する台座に浮き彫りにされた円周ビード１０との間の相互係合の影響により軸方向に保持される。
【００１０】
トラック１１に軸方向に対向する部分上のカラー８は、球状の進路がボール５の対応する表面と結合可能である円形台座（ボールのためのソケット）形状の内部配置を有する末端部８ａを有する。ランナー１５は、継ぎ手３の摩擦のために、末端部８ａに対向するボール５の表面に対して弾性的に促される。ランナー１５は、バネ１６によって、また全体として１８で示され、段部１５ａ、１５ｂの間のランナー１５上で案内されるスライダーに属するくさび１７によって決定された推進構成要素によって、ボールに対して促される。くさび１７は、傾斜面係合でランナー１５に結合される。スライダー１８は、継ぎ手の係止のためにランナー１５をボール５に対して強制的に押すようにバネ１９によって弾性的に促され、ピン２０において引金２１に連節され、これは同様に２２において、本体２から放射状に延在するハンドグリップ３２の内側に蝶番で連結され、支持体１の配向の動作を可能にする。
【００１１】
ボール５において、最大円周を通過し、ステム６の軸にほぼ一致するパノラマ軸Ｘに直角である、赤道経線面が識別される。赤道経線面において、本体２に取り付けられ、作動ノブ２６を有しバネ２７に対向するカムコントロール２５によって、溝２３に係合される第１の作動位置（図２）と溝２３から離れる第２の位置（図３）との間を移動可能なプランジャ２４によって、移動可能に係合可能な環状溝２３が備えられる。溝２３とプランジャ２４は、プランジャが任意の位置で溝に係合する場合にボールがプランジャの軸Ｙの周囲を回転可能であるように構成され、さらに、プランジャが溝に係合される時に継ぎ手部材がパノラマ軸Ｘの周囲を相互に対して回転可能であるように、案内された係合が溝とプランジャとの間に存在する。
【００１２】
このため、以下の請求項において、溝とプランジャはまた、第１および第２の案内手段なる用語で言及される。
【００１３】
プランジャが溝に係合される時、ボールがプランジャの軸Ｙの周囲を回転可能であるため、プランジャの末端部分が、丸くされ（本例においては、溝がＶ字形状に先細にされているならば円錐形）、溝に対して赤道円周方向にスライド可能であるのに加え、赤道面にありパノラマ軸Ｘに直角に交差する揺動軸（Ｙ）に一致されることが必要とされる。このようにして、パノラマ軸の周囲および揺動軸の周囲での継ぎ手部材間の相対的な回転の能力が限定される。
【００１４】
本体２の上面に、予め選択されたビデオまたは写真機器の素早い取り付けのためにスナップ係合で小板３０を移動可能に受ける凹み２９が備えられる。
【００１５】
カラー８と本体２との間の相対的な位置決めは、本体２に固定された板バネ１３ａの上に備えられた小歯１３の弾性スナップ係合によって、カラー８の凹み１４内に決定された所定の基準位置決めを備え、この係合は本体２の相対的な回転をカラー８に対して強制することにより容易に乗り越えられる。
【００１６】
この状態において、ハンドグリップがカラー８の外壁に延在する切り欠き３１に正反対に対向するような方法で、カラー８はハンドグリップ３２に対して配向される。切り欠き３１の範囲と方向性は、ハンドグリップをパノラマ軸Ｘとほぼ一直線の状態に至らせるためにボールのステム６の通過を容認するようなものである。この状態において、支持体はポートレート機能のために配置され、もしくはその上に取り付けられたカメラを９０度回転することを可能にし、またパノラマ面における配向の能力は、先に定義されたボールの赤道面と一致し、チルト軸の周囲において環状トラック１１と環状ビード１０との間の結合の軸と一致する。ポートレート位置において、チルト軸の周囲での移動は、ビード１０とトラック１１との間の相対的なスライドによって得られる。
【００１７】
ポートレート位置から前の位置へ戻ることが所望される時は、切り欠き３１がハンドグリップ３２の正反対に対向しステム６から容易に離れることを保証するように、本体２とカラー８との間の相対的な位置決めを、歯１３が凹み１４にはまるような状態にすれば十分である。
【００１８】
本発明の支持体の機能は以下のとおりである。ビデオ機器を用いる場合、ノブ２６は、パノラマ軸の確実な位置決めを維持するように、プランジャ２４が環状溝２３に係合されるような方法で回転される。チルト移動は、引金２１の圧力を用いてボール継ぎ手を解放することで達成される。
【００１９】
写真用機器と共に用いる場合、カラーに対する完全な動きのために、ボールは解放される。このことは、ノブ２６を、プランジャ２４が環状溝２３から離れるような方法で回転することによって達成される。最後に、ポートレート機能について、ノブ２６はプランジャ２４が環状溝２３に再度係合されるような方法で回転され、使用法は図示されたとおりである。
【００２０】
したがって本発明は、提案された問題を解決し、写真の使用とビデオ撮影との典型的な必要性の両方を満たす完全な両面性、ポートレートタイプの写真に用いられるための適合性を含む数多くの利点を得て、これはまた特にコンパクトで経済的な構成に適する。
【図面の簡単な説明】
【００２１】
【図１】本発明に従って製造される支持体の縦断面図である。
【図２】２つの異なる作動状態にある同じ支持体を参照する図１の線ＩＩ-ＩＩにおける断面図である。
【図３】２つの異なる作動状態にある同じ支持体を参照する図１の線ＩＩ-ＩＩにおける断面図である。
【図４】図１の支持体の部分断面の斜視図である。
【図５】図４に矢印Ａで示される詳細の拡大の断面図である。
【図６】ポートレート位置にある先行する図面における支持体の斜視図である。
【図１】
2008541189.tif 000003
【図２】
2008541189.tif 000004
【図３】
2008541189.tif 000005
【図４】
2008541189.tif 000006
【図５】
2008541189.tif 000007
【図６】
2008541189.tif 000008
【手続補正書】
【提出日】平成19年3月16日(2007.3.16)
【手続補正１】
【補正対象書類名】特許請求の範囲
【補正対象項目名】全文
【補正方法】変更
【補正の内容】
【特許請求の範囲】
【請求項１】
どちらも球状であり相互に回転可能に結合する、それぞれソケット（４）とボール（５）の形状である第１および第２の継ぎ手部材を有する、ボールソケット継ぎ手（３）を含み、前記ボール部材（５）にはパノラマ軸（Ｘ）に直角である実質的な赤道経線面が画定された、ビデオまたは写真機器の支持体であって、前記支持体は、それぞれ前記ボール部材と前記ソケット部材の上の第１および第２の案内手段（２３、２４）を備え、前記パノラマ軸と揺動軸の周囲での前記部材間の相対的な回転の能力を限定するべく、一方の他方に対する赤道円周方向のスライドと前記赤道面にあり前記パノラマ軸（Ｘ）に直角に交わる揺動軸（Ｙ）の周囲の相対的な回転との両方によって相互に選択的に係合可能であり、前記第１および第２の案内手段は、前記ボール部材（５）内の円周溝（２３）と、前記ソケット部材（４）上のプランジャ（２４）を備え、前記プランジャと前記溝は、前記プランジャが任意の位置で前記溝に係合される時に前記ボールが前記プランジャの前記軸（Ｙ）の周囲を回転可能であるように構成され、前記プランジャ（２４）は前記溝に弾性的に促されて結合し、カム手段（２５）が前記プランジャと前記ソケットの間に備えられて前記プランジャを前記溝から離れた状態で選択的に保持することを特徴とする、支持体。
【請求項２】
前記ソケット部材（４）に対して前記揺動軸（Ｙ）にほぼ直角な方向に延在するハンドグリップを備える、請求項１に記載のビデオまたは写真機器の支持体。
【請求項３】
前記部材を摩擦によって相互に係止する前記継ぎ手部材間の摩擦手段（１５）を備える、請求項１または２に記載のビデオまたは写真機器の支持体。
【請求項４】
前記ハンドグリップ（３２）を有し、前記継ぎ手が格納される本体（２）を備え、前記球状ソケット部材（４）は、前記本体に軸方向に保持されるがこれに対して回転可能であるほぼ円筒形状のカラー（８）を含む、請求項２または３に記載のビデオまたは写真機器の支持体。
【請求項５】
前記カラー（８）において、前記球状ボール部材（５）のステム（６）を受けることができる切り欠き（３１）が備えられ、前記ハンドグリップの前記切り欠きに対する所定の位置づけに対応する前記カラーと前記本体との間の所定の位置づけを達成するべく、手段（１３、１４）が前記カラー（８）と前記本体（２）に備えられた、請求項４に記載のビデオまたは写真機器の支持体。
【請求項６】
前記カラー（８）は、座面に浮き彫りされた円周ビード（１０）と前記カラーに備えられた環状トラック（１１）との相互係合によって前記本体（２）の前記座面内に保持された、請求項４または５に記載のビデオまたは写真機器の支持体。
【請求項７】
前記摩擦手段は前記ボール部材に弾性的に促されるランナー（１５）を備える、請求項３から６のいずれか１項以上に記載のビデオまたは写真機器の支持体。
【請求項８】
前記ランナー（１５）はまた、結合し弾性作用を受ける傾斜面によって前記ランナーに結合されるくさび（１７）の推進構成部材によって前記ボール部材（５）に対して促される、請求項７に記載のビデオまたは写真機器の支持体。
【請求項９】
前記くさび（１７）は、前記ランナー（１５）上を案内され、引金（２１）によって、バネ手段（１９）の弾性作用に対向して結合する前記傾斜面の解放方向に並行して起動されるスライダー（１８）に並行してしっかりと接続される、請求項８に記載のビデオまたは写真機器の支持体。
【国際調査報告】
2008541189.tif 000009
2008541189.tif 000010
2008541189.tif 000011